(57)【特許請求の範囲】
【請求項１】
側面視が長方形で横断面Ｕ形のＵ形体と、このＵ形体の背面に上下方向に沿って設け、自在に電線を挿通させるリング部と、前記Ｕ形体よりも高さを低くし、吊りボルトに半円弧部が外嵌し前記Ｕ形体に上下動自在に嵌入した薄鋼板バネとから成り、前記Ｕ形体とリング部とをプラスチックで一体に形成し、前記Ｕ形体が左右の腕部に上部を閉塞し下方に拡開する左側および右側の傾斜角溝底にした左、右の角溝部を設け、前記薄鋼板バネの左側板および右側板の先端部をそれぞれ左方折曲げ部および右方折曲げ部にし、これをさらに手前に折曲げて下方に拡開する左側傾斜板および右側傾斜板に形成するとともに、前記左側および右側の傾斜溝底に摺接させ、前記薄鋼板バネの半円弧部に設ける上方および下方の中間部突片と、前記左右の側板に設ける上部および下部突片とを、それぞれれ吊りボルトのねじ山に当接するものに形成した吊りボルト用支持具。
【請求項２】
前記Ｕ形体の左、右腕部の左側角溝部または右側角溝部の下部溝底に上方角孔と下方角孔を開口し、前記薄鋼板バネの左側傾斜板または右側傾斜板に、前記Ｕ形体に対し薄鋼板バネが上方位置および下方位置でそれぞれ前記上方角孔および下方角孔に嵌入するラッチを設けた請求項１記載の吊りボルト用支持具。
【請求項３】
前記リング部が、上面部の外周に適当数のＶ溝部を刻設したものである、請求項１又は２記載の吊りボルト用支持具。
【請求項４】
側面視が長方形で横断面Ｕ形にプラスチックで形成するＵ形体の背面にねじ孔を上下に設け、前記Ｕ形体よりも高さを低くし吊りボルトに半円弧部が外嵌する鋼板バネを前記Ｕ形体に上下動自在に嵌入し、前記Ｕ形体の左、右腕部に上部を閉塞し下方に拡開する左側および右側の傾斜角溝底にした左、右の角溝部を設け、前記薄鋼板バネの左側板および右側板の先端部をそれぞれ左方折曲げ部および右方折曲げ部にし、これをさらに手前に折曲げて下方に拡開する左側傾斜板および右側傾斜板に形成するとともに、前記左側および右側の傾斜溝底に摺接させ、前記薄鋼板バネの半円弧部に設ける上方および下方の中間部突片と、前記左右の側板に設ける上部および下部突片とを、それぞれれ吊りボルトのねじ山に当接するものに形成した吊りボルト用支持具。
【請求項５】
前記Ｕ形体の左、右腕部の左側角溝部または右側角溝部の下部溝底に上方角孔と下方角孔を開口し、前記薄鋼板バネの左側傾斜板または右側傾斜板に、前記Ｕ形体に対し薄鋼板バネが上方位置および下方位置でそれぞれ前記上方角孔および下方角孔に嵌入するラッチを設けた請求項４記載の吊りボルト用支持具。
【請求項６】
前記側面視が長方形で横断面Ｕ形にプラスチックで形成したＵ形体の背面中央部に台座を形成し、この台座と前記Ｕ形体の半円形部を貫通しねじ棒を着脱自在に螺着した請求項４又は５記載の吊りボルト用支持具。
【発明の詳細な説明】
【０００１】
【発明の属する技術分野】
本発明は、建築物の天井裏等に設けられる吊りボルトに簡単に取り付け、電気配線やスイッチボックス、安定器等の取り付けに供する吊りボルト用支持具に関する。
【０００２】
【従来の技術】
従来、ケーブル支持具として、例えば、図１３〜図１５に示すものが用いられている。このケーブル支持具４８は、左右に腕部５３、５４を備えたポリプロピレン樹脂製のＵ形体４９の後部に、電線挿入部５０を形成し、Ｕ形体４９の半円形部５２に薄鋼板バネ５１の半円弧部６０を嵌め込んでいる。電線挿入部５０は、上部を開口部５５にし、前後の内壁部に電線を抜け止めする段部５６、５７を形成し、縦断面がほぼＵ形のポケット状になっている。
【０００３】
薄鋼板バネ５１は、吊りボルトＡの外径よりわずかに小径の半円弧部６０の左右に同じ長さに左側板５８および右側板５９を備え、半円弧部６０と左側板５８、右側板５９の境目に設けた角形欠き部６１の手前側の上端を、吊りボルトのネジ山に当接する突起６２としてわずかに内方に折曲げている。
【０００４】
ケ−ブル支持具４８は、図１４のように、吊りボルトＡに薄鋼板バネ５１の前方開口を臨ませ、電線挿入部５０を指で矢印Ｆ方向に強く押し付け、吊りボルトＡに装着する。挿入されたケーブル支持具４８は、薄鋼板バネ５１の弾力によって吊りボルトＡに止められ、突起６２が吊りボルトＡのネジ山に当接し、上下動しないようになっている。吊りボルトＡに取り付けられたケーブル支持具４８には、第１５図のように、電線Ｂを電線挿入部５０の開口部５５上に載せ、矢印Ｄのように、下方に押し下げて挿入する。挿入された電線Ｂは、段部５６、５７の間に挟まれケーブル支持具４８に固定される。
【０００５】
なお、吊りボルトＡは、図１２に示すように、屋根裏において天井パネル４４と親桁４５に固定したＬ形ブラケット４６との間に多数設けられている。親桁４５に直交に固定された子桁４７の下面には、電気配線等の終了後に天井ボードが張りつけられる。
【０００６】
【発明が解決しようとする課題】
上述したケーブル支持具４８は、軽量かつ安価で、吊りボルトＡに簡単に着脱できるものである。しかしながら、吊りボルトＡに取り付ける場合に、次のような欠点があった。すなわち、作業員が床上に脚立を立て、その台板上にのり、図１２に示す空間Ｃから上半身を出し、吊りボルトＡにケーブル支持具４８を取り付け、脚立から下りる。次に、脚立を次の取り付け箇所に移動し、再び脚立にのり空間Ｃから上半身を出し、吊りボルトＡにケーブル支持具４８を取り付ける。このことを繰返し吊りボルトＡにケーブル支持具４８を取付けるが、これは煩雑で多くの労力を必要としていた。
【０００７】
次に、電気配線を行うのであるが、それには再び脚立を立ててその上にのり、空間Ｃから上半身を出し、図１５のようにして、電線をケーブル支持具４８の電線挿入部５０に取り付ける。この電線取り付けの場合も、脚立を移動することを繰返すので、非常に多くの労力を要していた。
【０００８】
吊りボルトＡにケーブル支持具４８を取り付ける際に、同時に電線Ｂを取付ければ、電気配線の労力を省略することができる。しかし、従来のケーブル支持具４８では、取り付けた電線が電線挿入部５０に固定されているので、自由に移動したり緊張することができない。したがって、やむを得ず吊りボルトＡにケーブル支持具４８を取り付けた後に、電線Ｂをケーブル支持具４８に取付けているので、多くの労力を要していた。本発明が解決しようとする課題は、吊りボルトＡに簡単に装着することができ、同時に電線を緊張自在に取りつけることができる吊下げボルト用支持具を提供することである。
【０００９】
また、天井裏には電気配線に必要なジャンクションやボックス、水銀灯の安定器などが取り付けられるが、これらのものの取り付けを可能にする吊りボルト用支持具を提供することも、本発明が解決しようとする課題である。
【００１０】
【課題を解決するための手段】
前記の課題を解決するために、本発明の請求項１の吊りボルト用支持具は、側面視が長方形で横断面Ｕ形のＵ形体と、前記Ｕ形体よりも高さを低くし、吊りボルトに半円弧部が外嵌し前記Ｕ形体に上下動自在に嵌入した薄鋼板バネとで形成し、前記Ｕ形体とリング部とをプラスチックで一体に形成した。そして、前記Ｕ形体の左右の腕部に上部を閉塞し下方に拡開する左側および右側の傾斜角溝底にした左、右の角溝部を設け、前記薄鋼板バネの左側板および右側板の先端部をそれぞれ左方折曲げ部および右方折曲げ部にし、これをさらに手前に折曲げて下方に拡開する左側傾斜板および右側傾斜板に形成するとともに、前記左側および右側の傾斜溝底に摺接させた。また、前記薄鋼板バネの半円弧部に設ける上方および下方の中間部突片と、前記左右の側板に設ける上部および下部突片とを、それぞれれ吊りボルトのねじ山に当接するものに形成した。
【００１１】
また、本発明の請求項２の吊りボルト用支持具は、請求項１のＵ形体の左、右腕部の左側角溝部または右側角溝部の下部溝底に上方角孔と下方角孔を開口し、前記薄鋼板バネの左側傾斜板または右側傾斜板に、前記Ｕ形体に対し薄鋼板バネが上方位置および下方位置でそれぞれ前記上方角孔および下方角孔に嵌入するラッチを設けたものである。
【００１２】
また、本発明の請求項３の発明は、電線を追加的に前記リング部に装着するために、前記リング部の外周に適当数のＶ溝部を刻設し、このＶ溝部を切断し電線挿入の開口部を作成できるようにしたものである。
【００１３】
また、請求項４の発明は、吊りボルトにスイッチボックスやジャンクション等の器具を取付ける支持具である。すなわち、側面視が長方形で横断面Ｕ形にプラスチックで形成するＵ形体の背面にねじ孔を上下に設け、前記Ｕ形体より高さを低くし、吊りボルトに半円弧部が外嵌する薄鋼板バネを前記Ｕ形体に上下動自在に嵌入し、前記Ｕ形体の左、右腕部に、上部を閉塞し下方に拡開する左側および右側の傾斜角溝底にした左、右の角溝部を設けた。そして、前記薄鋼板バネの左側板および右側板の先端部をそれぞれ左方折曲げ部および右方折曲げ部にし、これをさらに手前に折曲げて下方に拡開する左側傾斜板および右側傾斜板に形成するとともに、前記左側および右側の傾斜溝底に摺接させ、前記薄鋼板バネの半円弧部に設ける上方および下方の中間部突片と、前記左右の側板に設ける上部および下部突片とを、それぞれれ吊りボルトのねじ山に当接するものに形成した。
【００１４】
また、請求項５の発明は、請求項４の発明において、前記Ｕ形体の左、右腕部の左側角溝部または右側角溝部の下部溝底に上方角孔と下方角孔を開口し、前記薄鋼板バネの左側傾斜板または右側傾斜板に、前記Ｕ形体に対し薄鋼板バネが上方位置および下方位置でそれぞれ前記上方角孔および下方角孔に嵌入するラッチを設けたものである。
【００１５】
また、請求項６の発明は、例えば取付け耳部を備えた器具を吊りボルトに取付ける吊りボルト用支持具である。すなわち、請求項４と５の発明において、側面視が長方形で横断面Ｕ形にプラスチックで形成したＵ形体の背面中央部に台座を形成し、この台座と前記Ｕ形体の半円弧部を貫通しねじ棒を着脱自在に螺着したものである。
【００１６】
【実施例】
次に、図面を参照して本発明の実施例を説明する。図１、図２、図３において、１は吊りボルト用支持具（以下、支持具と略す）であり、半円形部５の両端に左、右腕部６、７が形成され、横断面Ｕ形のＵ形体２の背面にリング部４を上下方向に設け、Ｕ形体２とリング部４を一体にプラスチックで形成し、Ｕ形体２の内側に薄鋼板バネ３を嵌め込んだものである。
【００１７】
Ｕ形体２は、側面視が長辺４４ｍｍ、短辺２２ｍｍの長方形で、前端開口部の内幅が１０ｍｍ、半円形部５の内径が１０ｍｍで薄鋼板バネ３の半円弧部１７が嵌入するようなっている、Ｕ形体２は、左腕部６および右腕部７の前部内壁に、それぞれ左側角溝部８および右側角溝部９を下方に刻設するとともに、溝底を下方に拡開する左および右側の傾斜角溝底１０および１１に形成している。
【００１８】
左、右側の角溝部８、９は、図４に示すように、Ｕ形体２の上面から４ｍｍの箇所を左側上部閉塞部１２、右側上部閉塞部１３にし、溝底を前述した下方に拡開する左側傾斜角溝底１０および右側傾斜拡溝底１１にしている。左側上部閉塞部１２と右側上部閉塞部１３との左右間隔（ａ−ｂ間）が１３．５ｍｍ、左側傾斜角溝底１０と右側傾斜角溝底１１の下端の左右間隔（ｃ−ｄ間）が１７ｍｍである。
【００１９】
図２における１４は上方角孔、１５は下方角孔であり、右側角溝部９の溝底に配設ピッチ１０ｍｍで開口している。下方角孔１５の下辺の位置はＵ形体２の下端面から４．７ｍｍである。実施例は、上、下の角孔１４、１５を右側角溝部９に設けたが、左側角溝部８に設けてもよい。
【００２０】
薄鋼板バネ３は、図１のように、吊りボルトＡに密接に外嵌する半円弧部１７の両端前方に、それぞれ左側板１８および右側板１９が形成され、板厚が０．４ｍｍ、全高が３０ｍｍである。薄鋼板バネ３は、一般的に吊りボルトＡがＷ３／８（ねじ外径９．５２５ｍｍ）のものが用いられているので、吊りボルトＡに外嵌したときにバネ圧で密接するように、半円弧部１７の内径を、Ｗ３／８よりわずかに小さくしている。
【００２１】
左、右の側板１８、１９は、図６のように、相互間隔を前方に次第に狭めて突設して狭窄部２２にし、その箇所から左方折曲げ部２０と右方折曲げ部２１に折り曲げるとともに、さらに手前側に折り曲げて左、右側の角溝部８および９に嵌入する下方に拡開させた左側傾斜板２３および右側傾斜板２４になっている。
左、右側の傾斜板２３と２４の上縁部間の間隔は１５ｍｍ、下縁部間の間隔が１９ｍｍである。
【００２２】
前述したように、Ｕ形体２の左側上部閉塞部２６と右側上部閉塞部２７の溝底間の左右間隔が１３．５ｍｍ、傾斜左側角溝底１０と傾斜右側角溝底１１の下端における左右間隔が１７ｍｍである。一方、薄鋼板バネ３は、左、右側の傾斜板２３と２４の上縁部間の間隔が１５ｍｍ、下縁部間の間隔が１９ｍｍなので、左、右の側板１８、１９を内方に圧縮し、Ｕ形体２の半円形部５の中心に半円弧部１７の中心を合わせ、左、右側の傾斜板２３と２４を、それぞれ右側角溝部８および左側角溝部９に嵌入し内方圧縮を解除すると、図５のように、左、右側の傾斜板２３と２４がそれぞれ左側傾斜角溝底１０および右側傾斜角溝底１１に摺接するようになっている。
【００２３】
図５は、薄鋼板バネ３をＵ形体２の下部から挿入した正面図であり、薄板バネ３の下端とＵ形体２の下端が一致している。１６はラッチであり、右側傾斜板２４の下部に角形の切り込みを入れ、下方角孔１５に嵌入するように、下端を外方へ突出させている。ラッチ１６は、下端面が角孔１５の下端面に当接し、Ｕ形体２に対し薄鋼板バネ３がそれ以上下降しないようにするものである。上方および下方の角孔１４および１５をＵ形体２の左側に開口した場合は、ラッチ１６は左側傾斜板２３に設ける。
【００２４】
図４、図７を参照して説明すると、薄鋼板バネ３の半円弧部１７の底部に、上方中間部突片２５と下方中間部突片２６を、薄鋼板バネ３に切り込みを入れて引き起こし幅２ｍｍ高さ約１ｍｍに突設し、先端部が吊りボルトＡのねじ山に当接するようにしている。また、左、右の側板１８、１９の上部と下部に左側上部突片２７、右側上部突片２９を上向きに、左側下部突片２８、右側下部突片３０を下向きに、それぞれ先端部を約１ｍｍ内方に突設させ、先端部が吊りボルトＡのねじ山に当接するようになっている。
【００２５】
本発明の吊りボルト用支持具１は、図５のようにＵ形体２に嵌入された薄鋼板バネ３の狭窄部２２（図６参照）を吊りボルトＡに当接し、Ｕ形体２を吊りボルトＡに押し付けると、薄鋼板バネ３の左、右側板１８、１９が外方に開き半円弧部１７に吊りボルトＡが嵌入する。ついで、Ｕ形体２を下方に引き下げると、薄鋼板バネ３の半円弧部１７の上、下方の中間部突片２５、２６と、左、右の側板１８と１９の上部と下部に設けた左右側の上部突片２７、２９および下部突片２８、３０が、それぞれ吊りボルトＡのねじ山に当接し、薄鋼板バネ３が吊りボルトＡに対し移動しないで、Ｕ形体２だけが下方に移動し、薄鋼板バネ３の上端面が左右側の上部閉塞部１２、１３に当接し下降が止まる。
【００２６】
このＵ形体２の下降によって、左、右の傾斜板２３、２４が、それぞれ下方に拡開傾斜している左、右側の傾斜角溝底１０、１１に摺接しながら内方側に閉じる作用を受け、薄鋼板バネ３が吊りボルトＡを緊締する。また、薄鋼板バネ３の半円弧部１７の上、下方の中間部突片２５、２６と、左、右の側板１８、１９の上部と下部に設けた左右側の上部突片２７、２９および下部突片２８、３０が、それぞれ吊りボルトＡのねじ山に当接し、薄鋼板バネ３が吊りボルトＡに対し回動しないようになる。
【００２７】
前述したように、Ｕ形体２は高さが４４ｍｍであり、左、右側の上部閉塞部１２、１３はＵ形体２の上面から４ｍｍの箇所に位置し、薄鋼板バネ３の高さが３０ｍｍなので、薄鋼板バネ３は、図５から図４の状態になると、１０ｍｍ上昇する。前述したように、上方角孔１４と下方角孔１５の配設ピッチが１０ｍｍなので、図５で下方角孔１５に嵌入していたラッチ１６は、図４では上方角孔１４に嵌入する。
【００２８】
図２、図３において、リング部４は、電線がリング内で自由に動けるように、内径３２ｍｍ、幅１６ｍｍにし、Ｕ形体２背面の上部中央から外周の基部にリブ３１を設け、Ｕ形体２の下部中央からリブ３２を外周の中間部まで設けている。また、リング上面を横断しＶ溝部３３、３４、３５を設け、既に吊りボルトＡに取り付けられた支持具１に、これらＶ溝部を電工ペンチで切断し電線を追加するための開口部を作成できるようにした。また、リング部４は、図６のように、リング内摺面３６をリング内方に突湾曲させ、電線がリング内で容易に方向変換できるようにした。
【００２９】
図１２は、支持具１を吊リボルトＡに装着した態様を示している、すなわち、支持具１が、前述したように、Ｕ形体２の開口部を吊りボルトＡに押し付けて装着され、直ちに電線Ｂがリング部４に挿入された状態である。リング部４は自在に電線Ｂを挿通できるようになっているので、挿通後の電線を移動や緊張することが可能である。
【００３０】
次に、図８は、第２実施例の吊りボルト用支持具１Ａの平面図、図９は同じく背面図である。これらの図において、Ｕ形体２、薄鋼板バネ３は、実施例１と同一であるが、Ｕ形体２の背面の上下中心線上に、図９のように、上下にねじ孔３７を設け、所望の器具を前記ねじ孔３７に螺着する小ねじで吊りボルトＡに取付けるようにしたものである。
【００３１】
図１０、図１１は、それぞれ第３実施例の吊りボルト用支持具１Ｂの一部を破断した平面図および右側面図である。これらの図において、Ｕ形体３８は、第１実施例のＵ形体２の背面に台座３９を形成したものであり、薄鋼板バネ３は、第１実施例と同一の構成にしてＵ形体３８に嵌め込んでいる。４０はねじ孔であり、Ｕ形体３８の背面と台座３９の中央部を貫通し、Ｗ３／８のねじ棒４１を螺着してロックナット４２で緊締し、ねじ棒４１にナット４３を螺着している。
【００３２】
【発明の効果】
以上，説明したように、本発明に係る第１実施例の吊りボルト用支持具は、Ｕ形体に嵌め込んだ薄鋼板バネの開口部を吊りボルトに当接し、Ｕ形体を手で吊りボルトに押し付けるだけで、きわめて簡単容易に吊りボルトに取付けることができる。しかも、取付けられた支持具は、薄鋼板バネに左、右側の上、下部突片、および上、下方の中間部突片を設け、Ｕ形体の腕部に設けた角孔にラッチが嵌入するようにしたので、吊りボルトに回動することなく装着することができる。
【００３３】
また、吊りボルト用支持具１は、図１２のように、吊りボルトＡに取付け、同時に電線Ｂをリング部４に移動自在に挿通できるようにしたので、多数の吊りボルトＡに装着した後に電線Ｂを移動や緊張することができる。したがって、従来、支持具の取付けと電線の装着を別々に行っていたのを一度で済ますことができるので、電気配線に大きな省力効果を得ることができる。また、リング部上面を横断して複数のＶ溝部を設けたので、このＶ溝部を電工ペンチで切断することによって開口部を作り、電線を追加的に開口部からリング部に挿入することができる。
【００３４】
実施例２の吊りボルト用支持具は、第１実施例と同様にきわめて簡単に吊りボルトに装着することができ、電気配線用のスイッチボックス等を小ねじにより簡単に取り付けることができるという効果を奏する。実施例３の吊りボルト用支持具は、第１実施例と同様にきわめて簡単に吊りボルトに装着することができ、ねじ棒を器具の取付け耳部に挿入しナット止めすることにより、簡単に器具の取付けを行うことができる。
【図面の簡単な説明】
【図１】本発明の吊りボルト用支持具の第１実施例の平面図である。
【図２】同じく右側面図である。
【図３】同じく斜視図である。
【図４】同じく図１の正面図である。
【図５】同じく図４の外側部分を上昇させた正面図である。
【図６】Ａ−Ａ線の断面図である。
【図７】Ｂ−Ｂ線の一部省略の断面図である。
【図８】第２実施例の平面図である。
【図９】同じく背面図である。
【図１０】第３実施例の一部を破断した平面図である。
【図１１】同じく右側面図である。
【図１２】第１実施例の製品を建物に使用した態様を示す要部斜視図である。
【図１３】従来の吊りボルト用電線支持具の斜視図である。
【図１４】同じく吊りボルトへの取り付け要領を示す斜視図である。
【図１５】同じく電線装着時の態様を示す斜視図である。
【符号の説明】
１、１Ａ、１Ｂ    吊りボルト用支持具
２    Ｕ形体
３    薄鋼板バネ
４    リング部
５    半円形部
６    左腕部
７    右腕部
８    左側角溝部
９    右側角溝部
１０  左側傾斜角溝底
１１  右側傾斜角溝底
１２  左側上部閉塞部
１３  右側上部閉塞部
１４  上方角孔
１５  下方角孔
１６  ラッチ
１７  半円弧部
１８  左側板
１９  右側板
２０  左方折曲げ部
２１  右方折曲げ部
２３  左側傾斜板
２４  右側傾斜板
２５  上方中間部突片
２６  下方中間部突片
２７  左側上部突片
２８  左側下部突片
２９  右側上部突片
３０  右側下部突片
３３、３４、３５  Ｖ溝部
３７  ねじ孔
３８  Ｕ形体
３９  台座
４０  ねじ孔
４１  ねじ棒
【図１】
0003602838.tif 000002
【図２】
0003602838.tif 000003
【図３】
0003602838.tif 000004
【図４】
0003602838.tif 000005
【図５】
0003602838.tif 000006
【図６】
0003602838.tif 000007
【図７】
0003602838.tif 000008
【図８】
0003602838.tif 000009
【図９】
0003602838.tif 000010
【図１０】
0003602838.tif 000011
【図１１】
0003602838.tif 000012
【図１２】
0003602838.tif 000013
【図１３】
0003602838.tif 000014
【図１４】
0003602838.tif 000015
【図１５】
0003602838.tif 000016